(57)【要約】【課題】空気室からの空気の流出や溶解が生じた場合でも、簡便な方法で空気室内へ空気を補充することができ、空気室内に保持された空気によりインクの供給圧力の変動を緩和し、安定したインク吐出を可能とするためのインクジェット記録装置のメンテナンス方法を提供すること。【解決手段】インク供給路に連通する連通口を有し該連通口から流入するインクと空気の気液界面が形成されるとともに、外壁の少なくとも一部が可撓性部材で構成される空気室を有するインクジェット記録装置のメンテナンス方法であって、連通口近傍のインク供給路に空気を充填した後、可撓性部材を変形させることにより空気室の体積を縮小させて空気室のインクをインク供給路に排出し、可撓性部材の変形を元に戻すことにより充填されている空気を空気室に送り込むことを特徴とする。【選択図】図７
2011037099.tif 000002
【特許請求の範囲】
【請求項１】
圧力室内のインクを吐出するインクジェットヘッドと、
前記インクジェットヘッドの圧力室にインク供給源からのインクを供給するインク供給路と、
前記インク供給路に連通する連通口を有し該連通口から流入するインクと空気の気液界面が形成されるとともに、外壁の少なくとも一部が可撓性部材で構成される空気室と、
を有するインクジェット記録装置のメンテナンス方法であって、
前記連通口近傍のインク供給路に空気を充填した後、前記可撓性部材を変形させることにより前記空気室の体積を縮小させて前記空気室のインクを前記インク供給路に排出し、前記可撓性部材の変形を元に戻すことにより前記充填されている空気を前記空気室に送り込むことを特徴とするインクジェット記録装置のメンテナンス方法。
【請求項２】
前記インク供給源と前記連通口との間のインク供給路を大気に連通させた状態で前記インクジェットヘッドのノズルからインクを吸引することにより、前記連通口近傍のインク供給路に空気を充填することを特徴とする請求項１に記載のインクジェット記録装置のメンテナンス方法。
【請求項３】
前記インク供給源と前記連通口との間のインク供給路に空気を圧送することにより、前記連通口近傍のインク供給路に空気を充填することを特徴とする請求項１に記載のインクジェット記録装置のメンテナンス方法。
【請求項４】
前記インク供給源を移動させて該インク供給源内のインク液面を前記インクジェットヘッドのノズル面よりも相対的に低い位置に移動させることによって、前記インクジェットヘッドに対して水頭による負圧を与え前記インクジェットヘッドのノズルから空気を導入することにより前記連通口近傍のインク供給路に空気を充填することを特徴とする請求項１に記載のインクジェット記録装置のメンテナンス方法。
【請求項５】
前記連通口近傍のインク供給路は、前記空気室よりも下方に位置することを特徴とする請求項１〜４の何れか１項に記載のインクジェット記録装置のメンテナンス方法。
【請求項６】
前記可撓性部材は可撓性のインク供給チューブであり、
前記インク供給路の少なくとも一部が前記インク供給チューブにより構成され、
前記空気室は、前記インク供給チューブの内部にインクが連通可能な状態で挿入された空気保持部材と前記インク供給チューブの内面との間に形成されることを特徴とする請求項１〜５の何れか１項に記載のインクジェット記録装置のメンテナンス方法。
【請求項７】
前記空気保持部材は、前記インク供給チューブの内面に当接する当接部を有することを特徴とする請求項６に記載のインクジェット記録装置のメンテナンス方法。
【請求項８】
前記空気室のインク供給源側の面は閉鎖され、圧力室側の面に前記連通口が形成されていることを特徴とする請求項６または７に記載のインクジェット記録装置のメンテナンス方法。
【請求項９】
前記インク供給源側の面は前記圧力室側の面よりも上方に位置することを特徴とする請求項８に記載のインクジェット記録装置のメンテナンス方法。
【請求項１０】
前記空気室は、第１の領域と、前記第１の領域よりも前記圧力室側に位置し流路断面積が小さい第２の領域を有することを特徴とする請求項６〜９の何れか１項に記載のインクジェット記録装置のメンテナンス方法。
【請求項１１】
前記空気保持部材は、前記インク供給チューブの軸方向に沿って延び、且つ、インクが連通可能な貫通穴を有することを特徴とする請求項６〜１０の何れか１項に記載のインクジェット記録装置のメンテナンス方法。
【発明の詳細な説明】
【技術分野】
【０００１】
本発明は、インクジェット記録装置のメンテナンス方法に関する。
【背景技術】
【０００２】
従来、用紙やプラスチック薄板等の記録媒体にインクを吐出して所定の画像を記録するインクジェット記録装置が提案され、実用化されている。インクジェット記録装置は、ノズルを有するインクジェットヘッド（以下、ヘッドと記す場合がある。）を備えており、かかるインクジェットヘッドを所定の方向に移動させながらノズルから記録媒体に向けてインクを吐出することにより、記録媒体に所定の画像を記録している。
【０００３】
このようなインクジェット記録装置においては、ヘッドが搭載されたキャリッジを走査するため、加減速や振動によりヘッドに供給されるインク圧力が変動する。その場合、ヘッドのノズルのインクメニスカス位置がずれることにより濃度むらを起こしたり、最悪の場合、メニスカスが破れて吐出不能になってしまうという問題がある。
【０００４】
また、従来の、このような現象の解決策として提案されているものに、特許文献１に示されるようなヘッドの上流にダンパーを配置する構成として、インク供給時の圧力変動を吸収するものがある。
【０００５】
特許文献１には、ヘッドへのインク流入管路及びインク流出管路経路内に空気室を設けてダンパー機能を持たせたインクジェット記録装置が開示されている。
【０００６】
また、ヘッド内部に空気室を配置してダンパー機能を持たせたものがある（例えば、特許文献２〜４参照）。
【０００７】
特許文献２には、ヘッドの共通インク室に隣接し気体を内部に保持する複数の空気室を設けてダンパー機能を持たせたインクジェットヘッドが開示されている。また、特許文献３には、ヘッドの共通インク室に隣接し共通インク室内のインクを伝わる圧力変動を吸収する気体を保持した空気室を有するインクジェットヘッドが開示されている。特許文献４には、ヘッドの共通インク室に隣接し空気口を介して連通する空気室と空気口を開閉する開閉弁を有するインクジェットヘッドが開示されている。
【先行技術文献】
【特許文献】
【０００８】
【特許文献１】特開平１１−１０９１１号公報
【特許文献２】特開平９−１３６４１５号公報
【特許文献３】特開平６−３４４５５８号公報
【特許文献４】特開２００６−３１５３６０号公報
【発明の概要】
【発明が解決しようとする課題】
【０００９】
しかしながら、特許文献１〜３に開示されているような空気とインクを接触させて気液界面を形成させる構造では、このような場所に空気を安定して留めておくことは簡単ではなく、流出して圧力変動の吸収効果を失うことにより安定吐出に支障をきたすという問題がある。
【００１０】
また、空気とインクが接触する気液界面において、空気がインクに溶解してしまうため、一定の時間が経過すると空気が消失し、圧力変動の吸収効果を失うという問題がある。
【００１１】
いずれの特許文献にも、空気がインクに溶解することに関する記載はなく、このことが圧力変動の吸収効果に与える影響についても何ら開示がない。
【００１２】
このように、空気室に対して安定的に所定量の空気を保持することを困難にするという課題を抱えており、空気室の空気が減少あるいはなくなってしまうことで、吐出安定性を低下させ得るという技術的な課題も抱えている。
【００１３】
特許文献４に開示されているように空気とインクとの界面に開閉弁等の部材を介在させることにより空気室からの空気の流出や溶解を確実に防止することができる。しかしながら、このような構成とするには、新たな部品や製造プロセスが必要となり、また構造が複雑になるため特別な設計が必要となり、コストアップや信頼性低下を招く恐れがある。
【００１４】
本発明の目的は、以上の問題点の解決を図り、空気室からの空気の流出や溶解が生じた場合でも、簡便な方法で空気室内へ空気を補充することができ、空気室内に保持された空気によりインクの供給圧力の変動を緩和し、安定したインク吐出を可能とするためのインクジェット記録装置のメンテナンス方法を提供することにある。
【課題を解決するための手段】
【００１５】
本発明の課題は、以下のような構成により解決される。
【００１６】
１．圧力室内のインクを吐出するインクジェットヘッドと、
前記インクジェットヘッドの圧力室にインク供給源からのインクを供給するインク供給路と、
前記インク供給路に連通する連通口を有し該連通口から流入するインクと空気の気液界面が形成されるとともに、外壁の少なくとも一部が可撓性部材で構成される空気室と、
を有するインクジェット記録装置のメンテナンス方法であって、
前記連通口近傍のインク供給路に空気を充填した後、前記可撓性部材を変形させることにより前記空気室の体積を縮小させて前記空気室のインクを前記インク供給路に排出し、前記可撓性部材の変形を元に戻すことにより前記充填されている空気を前記空気室に送り込むことを特徴とするインクジェット記録装置のメンテナンス方法。
【００１７】
２．前記インク供給源と前記連通口との間のインク供給路を大気に連通させた状態で前記インクジェットヘッドのノズルからインクを吸引することにより、前記連通口近傍のインク供給路に空気を充填することを特徴とする１に記載のインクジェット記録装置のメンテナンス方法。
【００１８】
３．前記インク供給源と前記連通口との間のインク供給路に空気を圧送することにより、前記連通口近傍のインク供給路に空気を充填することを特徴とする１に記載のインクジェット記録装置のメンテナンス方法。
【００１９】
４．前記インク供給源を移動させて該インク供給源内のインク液面を前記インクジェットヘッドのノズル面よりも相対的に低い位置に移動させることによって、前記インクジェットヘッドに対して水頭による負圧を与え前記インクジェットヘッドのノズルから空気を導入することにより前記連通口近傍のインク供給路に空気を充填することを特徴とする１に記載のインクジェット記録装置のメンテナンス方法。
【００２０】
５．前記連通口近傍のインク供給路は、前記空気室よりも下方に位置することを特徴とする１〜４の何れか１項に記載のインクジェット記録装置のメンテナンス方法。
【００２１】
６．前記可撓性部材は可撓性のインク供給チューブであり、
前記インク供給路の少なくとも一部が前記インク供給チューブにより構成され、
前記空気室は、前記インク供給チューブの内部にインクが連通可能な状態で挿入された空気保持部材と前記インク供給チューブの内面との間に形成されることを特徴とする１〜５の何れか１項に記載のインクジェット記録装置のメンテナンス方法。
【００２２】
７．前記空気保持部材は、前記インク供給チューブの内面に当接する当接部を有することを特徴とする６に記載のインクジェット記録装置のメンテナンス方法。
【００２３】
８．前記空気室のインク供給源側の面は閉鎖され、圧力室側の面に前記連通口が形成されていることを特徴とする６または７に記載のインクジェット記録装置のメンテナンス方法。
【００２４】
９．前記インク供給源側の面は前記圧力室側の面よりも上方に位置することを特徴とする８に記載のインクジェット記録装置のメンテナンス方法。
【００２５】
１０．前記空気室は、第１の領域と、前記第１の領域よりも前記圧力室側に位置し流路断面積が小さい第２の領域を有することを特徴とする６〜９の何れか１項に記載のインクジェット記録装置のメンテナンス方法。
【００２６】
１１．前記空気保持部材は、前記インク供給チューブの軸方向に沿って延び、且つ、インクが連通可能な貫通穴を有することを特徴とする６〜１０の何れか１項に記載のインクジェット記録装置のメンテナンス方法。
【発明の効果】
【００２７】
本発明によれば、空気室からの空気の流出や溶解が生じた場合でも、簡便な方法で空気室内へ空気を補充することができ、空気室内に保持された空気によりインクの供給圧力の変動を緩和し、安定したインク吐出を可能とするためのインクジェット記録装置のメンテナンス方法を提供することができる。
【図面の簡単な説明】
【００２８】
【図１】本発明の実施形態に係るインクジェット記録装置の概略を示す正面図である。
【図２】本発明の実施形態に係るインクジェットヘッドの分解斜視図である。
【図３】本発明の実施形態に係るインクジェットヘッドの斜視図である。
【図４】本発明の実施形態に係る空気保持部材の一例の模式図で、（ａ）は拡大斜視図、（ｂ）は空気保持部材が挿入された可撓性のインク供給チューブがインクジェットヘッドに取り付けられた状態を示す斜視図である。
【図５】本発明の実施形態に係る空気保持部材の他の例の模式図で、（ａ）は拡大斜視図、（ｂ）は空気保持部材が挿入された可撓性のインク供給チューブがインクジェットヘッドに取り付けられた状態を示す斜視図である。
【図６】本発明の実施形態に係る空気保持部材の他の例の模式図で、（ａ）は拡大斜視図、（ｂ）は空気保持部材が挿入された可撓性のインク供給チューブがインクジェットヘッドに取り付けられた状態を示す斜視図である。
【図７】本発明の実施形態に係る空気保持部材の他の例の模式図で、（ａ）は拡大斜視図、（ｂ）は空気保持部材が挿入された可撓性のインク供給チューブがインクジェットヘッドに取り付けられた状態を示す斜視図である。
【図８】本発明の実施形態に係る空気室に空気を補充する動作を示す空気保持部材周辺の模式図である。
【図９】本発明の実施形態に係る空気室の連通口近傍のインク供給路に空気を充填する様子を示すインクジェット記録装置の要部の模式図である。
【図１０】本発明の他の実施形態に係る空気室の連通口近傍のインク供給路に空気を充填する様子を示すインクジェット記録装置の要部の模式図である。
【図１１】本発明の他の実施形態に係る空気室の連通口近傍のインク供給路に空気を充填する様子を示すインクジェット記録装置の要部の模式図である。
【発明を実施するための形態】
【００２９】
以下に本発明の実施形態につき図面を参照して説明する。ただし、以下は本発明の実施形態であって本発明を限定するものではない。
【００３０】
まず図１を参照して、本発明に係るインクジェット記録装置のメンテナンス方法が適用されるインクジェット記録装置の全体構成について説明する。図１は本発明の実施形態のインクジェット記録装置の全体構成図である。
【００３１】
インクジェット記録装置１は、記録媒体Ｐに対してインクを吐出し、記録媒体Ｐ上に画像を記録するものである。インクジェット記録装置１には、図示しない搬送手段が備わっており、この搬送手段が記録媒体Ｐを、図１における記録領域Ｃを通過させながら主走査方向Ａと直交した副走査方向に搬送するようになっている。
【００３２】
記録領域Ｃの上方には、主走査方向Ａ（水平方向）に沿って延在するキャリッジレール２が配置されていて、このキャリッジレール２には、キャリッジレール２によって案内されるキャリッジ３が移動自在に設けられている。
【００３３】
キャリッジ３は、記録媒体Ｐに対してインクを吐出するインクジェットヘッド４を搭載し、キャリッジレール２に沿ってホームポジション領域Ｂからメンテナンス領域Ｄにかけて矢印Ａ方向に移動するようになっている。
【００３４】
この主走査中にインクジェットヘッド４が、記録媒体Ｐに向けてインクｄを吐出することで記録媒体Ｐに画像を形成する。本実施形態では、水平方向に主走査を行い、ノズルからのインク吐出方向が鉛直方向下向きとなるようにインクジェットヘッド４が設置される。
【００３５】
本実施形態に係るインクジェット記録装置１では、ブラック（Ｋ）、イエロー（Ｙ）、マゼンタ（Ｍ）、シアン（Ｃ）の４色のインクを吐出できるよう、合計で４個のインクジェットヘッド４がキャリッジ３に設置されている。図１においては、３個のインクジェットヘッド４、４、４が矢印Ａ方向に１列に配置されていて、この矢印Ａ方向に並んだインクジェットヘッド４、４、４の中央のインクジェットヘッド４の奥側（紙面垂直方向の奥側）にその他の１個のインクジェットヘッド４（不図示）が配置されている。
【００３６】
これら各インクジェットヘッド４には、ブラック、イエロー、マゼンタ、シアンの各色のインクを貯蔵するインクタンク５が、それぞれ可撓性のインク供給チューブ６を介して連結されている。つまり、インクタンク５内のインクは、内部にインク供給路が形成される可撓性のインク供給チューブ６によって各インクジェットヘッド４に供給されるようになっている。すなわち本実施形態においてインクタンク５は、インク供給源に相当する。
【００３７】
インクタンク５内に貯蔵されるインクは、特に限定されないが、脱気処理されたインクが好ましい。インクタンク内のインクの溶存気体量を規定内に保つことができ、インク吐出時のキャビテーションによる吐出不良を防止して、より安定してインクをヘッドから吐出させることができる。
【００３８】
脱気処理されたインクを用いると、空気室内の空気が気液界面を介してインク中に溶解し易くなり、そのために、空気室内の空気量が減少しやすくなる傾向にあるが、本発明では、後述するように簡便に空気を補充することができるためこのような問題を解決できる。
【００３９】
なお、図１では図示しないが、これら各インクジェットヘッド４と各インクタンク５の間には、切替弁１００、切替弁１００から大気に連通する大気連通路１０１（図９参照）が介在している。切替弁１００をインクタンク５側に切り替えるとインクジェットヘッド４にはインクタンク５からインク供給管６の内部のインク供給路を通じてインクが供給されるようになっており、切替弁１００を大気連通路１０１側に切り替えるとインク供給管６の内部のインク供給路を大気連通させることができるようになっている。
【００４０】
本実施形態における可撓性のインク供給チューブ６は、インクタンク５に接続され主走査方向Ａ（水平方向）とは異なる鉛直方向に延びる第１の直線部分と、主走査方向Ａに延びる第２の直線部分と、インクジェットヘッド４に接続され主走査方向Ａとは異なる鉛直方向に延びる第３の直線部分（図４参照）とを有し、図示していないが、第１の直線部分と第２の直線部分の接続部は、キャリッジ３の移動に追従できるように円弧状に形成されている。
【００４１】
メンテナンス領域Ｄには、インクジェットヘッド４に対してメンテナンスを行うメンテナンスユニット７が設けられている。このメンテナンスユニット７には、インクジェットヘッド４の吐出面４１Ｓを覆って、ノズル内のインクを吸引するための複数の吸引キャップ８と、吐出面４１Ｓに付着したインクを拭き取る清掃ブレード９と、インクジェットヘッド４から空吐出されたインクを受けるインク受器１０と、吸引ポンプ１１と、廃インクタンク１２とが設けられている。
【００４２】
吸引キャップ８は吸引ポンプ１１を介して廃インクタンク１２と連通しており、メンテナンス動作時には上昇してインクジェットヘッド４の吐出面４１Ｓを覆うようになっている。吸引キャップ８，８，…は、上述のように上昇した時に全てのインクジェットヘッド４の吐出面４１Ｓを覆うことができるよう、各インクジェットヘッド４に対応するように４個配列されている。
【００４３】
吸引ポンプ１１はシリンダーポンプやチューブポンプを有して構成されていて、吸引キャップ８が吐出面４１Ｓを覆った状態で作動することにより、ノズルからインクジェットヘッド４内部のインクや異物を吸引するための吸引力を発生するようになっている。
【００４４】
切替弁１００をインクタンク５側に切り替えた状態で、吸引ポンプ１１を所定時間作動させることでノズルからインクジェットヘッド４内部のインクや異物を吸引する。この吸引動作は、通常のヘッド回復動作であり、その後の画像形成動作開始時に目詰まり等による吐出不良が生じる虞をなくすことができる点で好ましい。
【００４５】
なお、詳細は後述するが、空気室に空気を補充するメンテナンスを行う際には、切替弁１００を大気連通路１０１側に切り替えた状態で吸引ポンプ１１を所定時間作動させることで、空気が、切替弁１００を経由して大気連通路１０１から流れ込み、インク供給路へ送り込むことができる。
【００４６】
ホームポジション領域Ｂには、インクジェットヘッド４を保湿する保湿ユニット１３が設けられている。保湿ユニット１３には、インクジェットヘッド４が待機状態にあるとき、吐出面４１Ｓを覆うことでインクジェットヘッド４のインクを保湿する４個の保湿キャップ１４が設けられている。これら４個の保湿キャップ１４，１４，…は、４個のインクジェットヘッド４の吐出面４１Ｓを同時に覆うことができるよう、インクジェットヘッド４の配列に対応して配列される。
【００４７】
制御部は、ＣＰＵ（中央演算装置）と、メモリとを有して構成され、インクジェット記録装置１の各構成要素を制御するようになっている。メモリには、記録媒体Ｐに形成する画像のデータや、インクジェット記録装置１の各構成要素を制御するためのプログラムが記憶されており、このメモリ内の画像データやプログラムに基づいて各構成要素に制御信号を送信するようになっている。
【００４８】
次に、図２、図３を参照して本発明に係るインクジェットヘッド４について説明する。
【００４９】
図２は本実施形態のブラック（Ｋ）、イエロー（Ｙ）、マゼンタ（Ｍ）、シアン（Ｃ）の４色のインクジェットヘッド４のうち、ブラック（Ｋ）のインクジェットヘッド４の分解斜視図であり、図３は組み立てた状態の斜視図である。なお、他の色のインクジェットヘッド４についてもそれぞれ同じ構成となっているので、これらの説明については省略する。
【００５０】
本実施形態のインクジェットヘッド４には、インクを吐出する２枚のインクジェットヘッドチップ（以下「ヘッドチップ」と称す。）４１が重ねて設けられている。ヘッドチップ４１は長尺な外形をしていて、その吐出面４１Ｓには多数のノズル（図示せず）が配列されている。（以下ノズルの配列を「ノズル列」と称す。）
本実施の形態のインクジェットヘッド４は、ノズル列が２列設けられている。インクジェットヘッド４は矢印Ｘ方向（ノズル列方向）と図１に図示された主走査方向Ａとが直交するようにキャリッジ３に搭載される。
【００５１】
このように、ヘッドチップ４１には、複数のノズルと、複数のノズルに対応して設けられた複数の圧力室が矢印Ｘ方向に配列されて設けられている。ヘッドチップ４１において、この圧力室の配列方向に沿って延びる面を側面と称する。
【００５２】
また、重ねられた２枚のヘッドチップ４１のそれぞれの外側面には略方形状のインク供給口４３が設けられていて、インク供給口４３とノズルとがヘッドチップ４１の内部に形成されたインク吐出流路（図示せず）を介して連通するようになっている。インク吐出流路の一部は圧力室を形成しており、図示しない圧電素子の作用により圧力を変動させて、インク滴をノズルから吐出させる構造になっている。そして、ヘッドチップ４１には、各圧電素子に対して制御部からの制御信号を送信する２組のヘッド駆動基板４６、コネクタ５７のそれぞれが、フレキシブル配線板４７を介して各圧電素子に接続されている。
【００５３】
２枚のヘッドチップ４１の両側部には、外部からのインクをヘッドチップ４１に供給する２組のマニホールド４８ａ、マニホールド４８ｂが取り付けられている。マニホールド４８ａ、マニホールド４８ｂは、耐インク性に優れた材料からなり、共通インク室５０ａ、５０ｂを形成するための凹みが形成されている。マニホールド４８ａ、マニホールド４８ｂの一端部には、共通インク室５０ａ、５０ｂにインクを流入させる注入口４８１ａ、４８１ｂが設けられている。
【００５４】
６０は筐体フレーム５４の側部に装着されて可撓性のインク供給チューブ６に接続されるインク導入口である円筒形状のインク供給用接続部であり、注入口４８１ａ、４８１ｂに連通している連結部５６に接続される。
【００５５】
連結部５６は、コの字形状の板状部材で側部にはインク供給用接続部６０に接続される円筒形状の接続部が設けられていて、筐体フレーム５４の側部に係合し、内部にインク供給路が形成されるようになっている。
【００５６】
図２に示すように、ヘッドチップ４１の下部には、ノズル面が露出するようにマニホールド４８ａ、マニホールド４８ｂ及びヘッドチップ４１を保持する保持板５３が取り付けられている。
【００５７】
また、インクジェットヘッド４には、上記したヘッドチップ４１、マニホールド４８ａ、マニホールド４８ｂ、ヘッド駆動基板４６、保持板５３などのインクジェットヘッド４の構成要素が取り付けられ固定される筐体フレーム５４が設けられており、この筐体フレーム５４はカバー５２によって覆われている。筐体フレーム５４の上部にはコネクタ支持部５５が取り付けられる。
【００５８】
次に、インク注入時のインクの流路について説明する。
【００５９】
インクタンク５から可撓性のインク供給チューブ６を経由してインクが供給されると、インクジェットヘッド４内では先ずインクは、インク供給用接続部６０のインク供給路５９を通過して、連結部５６に流入し、各マニホールド４８ａ、マニホールド４８ｂの注入口４８１ａ、４８１ｂに分岐し、共通インク室５０ａ、５０ｂに進入する。共通インク室５０ａ、５０ｂに至ったインクは、インク供給口４３からヘッドチップ４１内に進入する。
【００６０】
このようなインクジェットヘッド４にかかるインク圧を安定させるために、インク供給路に連通する連通口を有し該連通口から流入するインクと空気の気液界面が形成されるとともに、外壁の少なくとも一部が可撓性部材で構成される空気室が設けられるが、本実施形態では、インクタンク５とインクジェットヘッド４を接続する可撓性のインク供給チューブ６の内部に、空気保持部材が挿入され、可撓性のインク供給チューブ６の内面と空気保持部材との間に空気室が形成される。図４を参照して空気保持部材について説明する。
【００６１】
図４（ａ）は実施形態の空気保持部材２０Ａの拡大斜視図であり、図４（ｂ）は、空気保持部材２０Ａが挿入された可撓性のインク供給チューブ６をインクジェットヘッド４のインク供給用接続部６０に取り付けた後、インク２６を供給したところを模式的に示した斜視図である。
【００６２】
図４（ｂ）に示すように、可撓性のインク供給チューブ６の内部には、空気保持部材２０Ａが挿入され、可撓性のインク供給チューブ６の内面と空気保持部材２０Ａとの間には内部空間の少なくとも一部に空気２２を保持することができる空気室２１が形成されている。
【００６３】
これにより、空気室に保持される空気により、モータやポンプ等の外部振動やキャリッジ走査等によるインクの供給圧力の変動を緩和し、吐出安定性を向上することができる。
【００６４】
また、可撓性のインク供給チューブに空気保持部材を挿入するだけで空気室が形成でき、インク供給チューブやインクジェットヘッドをそのまま利用できるのでインクジェット記録装置に大きな構成変更を加えることなく空気室を簡便に且つ低コストで設けることができる。
【００６５】
空気保持部材２０Ａは、インクの非浸透性、可撓性のインク供給チューブ６の内部への挿入のしやすさ及びインクに対する耐腐食性に優れるステンレススチール等の金属で構成されており、インクに直接接触しても変形、変質等を生じないようになっている。なお、空気保持部材を構成する材料はステンレススチール等の金属に限定されず、インクに直接接触しても変形等を生じないものであればセラミック、樹脂等の他の材料で形成しても構わない。
【００６６】
空気保持部材は、図４（ｂ）に示すように、一端がインクジェットヘッドに接続された可撓性のインク供給チューブ６におけるインクジェットヘッド４の近傍に挿入されることが好ましい。挿入された位置から上流側の可撓性のインク供給チューブ６において生じる圧力変動をより効果的に緩和できる。
【００６７】
具体的には、インクジェットヘッドは所定方向に往復移動可能であり、空気保持部材は、一端がインクジェットヘッドに接続された可撓性のインク供給チューブにおける一端から前記所定方向とは異なる方向に延びる部分に挿入されることが好ましい。
【００６８】
本実施形態においては、インクジェットヘッドは主走査方向Ａ（水平方向）に往復移動可能であるので、一端がインクジェットヘッド４に接続された可撓性のインク供給チューブ６における主走査方向Ａ（水平方向）とは異なる鉛直方向に延びる第３の直線部分に空気保持部材２０Ａが挿入されている。
【００６９】
本実施形態のインク供給系において、キャリッジ３の主走査方向Ａの往復運動（往復走査）及びこれに伴う可撓性のインク供給チューブ６の運動によりこの供給チューブ内のインクに圧力変動が生じるわけだが、この圧力変動は、主として主走査方向Ａに延びる第２の直線部分で生じるため、キャリッジ３と共に移動し主走査方向Ａとは異なる鉛直方向に延びる第３の直線部分に空気保持部材を挿入することにより、その圧力変動がインクジェットヘッド４の内部に伝達されることによりインクの安定した吐出を妨げる現象の発生をより効果的に緩和できる。
【００７０】
また、一端がインクジェットヘッドに接続された可撓性のインク供給チューブをインクジェットヘッドあるいはインクジェットヘッドが搭載される搭載部に固定する固定部を有し、空気保持部材が、可撓性のインク供給チューブにおける一端から固定部により固定される部分までの間に挿入されることが好ましい。インクジェットヘッドに接続された一端と固定部との間の可撓性のインク供給チューブは、キャリッジ３の移動に伴う動きが規制され、振動等が抑えられるため、より効果的に圧力変動を緩和できる。
【００７１】
本実施形態においては、図４（ｂ）における２７が、一端がインクジェットヘッド４のインク供給用接続部６０に接続された可撓性のインク供給チューブ６をインクジェットヘッド４に取り外し可能な状態で固定する固定部であり、固定部２７とインク供給用接続部６０の間の可撓性のインク供給チューブ６は、キャリッジ３の移動に伴う動きが規制される。尚、可撓性のインク供給チューブ６をインクジェットヘッド４が搭載される搭載部であるキャリッジ３に固定する様にしてもよい。
【００７２】
キャリッジ３と共に移動し走査方向Ａとは異なる鉛直方向に延びる第３の直線部分が固定部２７により固定されており、この固定部２７と一端との間に空気保持部材２０Ａが挿入されている。
【００７３】
また、空気保持部材は、可撓性のインク供給チューブの内面に当接する当接部を有することが好ましく、チューブの弾性変形を利用して容易にチューブの内部に空気保持部材を挿入して保持できる。
【００７４】
本実施形態においては、可撓性のインク供給チューブの内面に当接する当接部としての大径部２３を有し、空気保持部材２０Ａは、ステンレススチール等の金属で構成され、可撓性のインク供給チューブ６は樹脂あるいはゴム等の伸縮可能な弾性体で構成されている。空気保持部材２０Ａは、大径部２３側から可撓性のインク供給チューブ６におけるインク供給用接続部６０に接続される側の開口に挿入されることによって可撓性のインク供給チューブ６の内部に保持される。可撓性のインク供給チューブ６は弾性を有しているため、大径部２３を可撓性のインク供給チューブ６の開口に挿入するとき、開口がスムーズに膨張して弾性変形するので容易に挿入することができる。そして、可撓性のインク供給チューブ６が弾性復元して大径部２３の外周面に密着し可撓性のインク供給チューブ６の弾性により空気保持部材２０Ａのチューブ軸方向に沿った変位を規制することができるため、可撓性のインク供給チューブ６に固定用の溝等を設けなくても空気保持部材２０Ａを可撓性のインク供給チューブの内部に簡便且つ確実に保持することができる。
【００７５】
このように、両端部が開口され内部にインク供給路が形成された可撓性のインク供給チューブ６の一方の開口、好ましくは、インク供給用接続部６０に接続される側の開口に大径部２３の先端を押圧し、その押圧力により、可撓性のインク供給チューブ６の内部に空気保持部材２０Ａを挿入する。次いで、可撓性のインク供給チューブ６をインクタンク５とインク供給用接続部６０に接続する。
【００７６】
また、空気保持部材は、可撓性のインク供給チューブの内面に当接する大径部と、大径部よりも径の小さい小径部とを有し、可撓性のインク供給チューブの内面と小径部との間に空気室が形成されることが好ましい。大径部により空気保持部材を保持することができるとともに、より簡単に空気室を形成することができる。
【００７７】
また、空気室が環状に形成されている部分を有することが好ましい、環状の空気室により可撓性のインク供給チューブの内部のスペースを有効に活用できる。
【００７８】
本実施形態においては、空気保持部材２０Ａは、外周面が可撓性のインク供給チューブ６の内周面に当接する大径部２３と、大径部２３と一体かつ略同軸に形成され可撓性のインク供給チューブ６の内周面との間に形成される環状の空気室２１の少なくとも一部に空気２２を保持することができる小径部２４を有し、可撓性のインク供給チューブ６の軸方向の回りに形成された環状の空気室２１の少なくとも一部に空気２２が保持される。
【００７９】
ここで、内径、外径とは、その形状が円の場合は、その直径を意味し、形状が円でない場合は、面積を円に換算したときの直径に相当するものであり、可撓性のインク供給チューブあるいは小径部、大径部の形状は円形に限定されない。
【００８０】
また、空気保持部材は、可撓性のインク供給チューブの軸方向に沿って延び、且つ、インクが連通可能な貫通穴を有することが好ましい。貫通穴により、インクジェットヘッドへの十分なインク供給が可能となる。
【００８１】
本実施形態においては、空気保持部材２０Ａは、大径部２３の端面と小径部２４の端面とを貫通して可撓性のインク供給チューブ６の軸方向に沿って延び、且つインクが連通可能な貫通穴２５が形成されている断面形状が略円形の中空筒状体を用いている。
【００８２】
なお、貫通穴２５の径ｄ３は、大径部２３と小径部２４とで異ならせてもよいし、同じにしても良い、大径部２３の貫通穴２５の径を小径部２４の貫通穴２５の径よりも大きくするとインクジェットヘッド４へのより一層十分なインク供給を達成でき、好ましい形態である。
【００８３】
また、空気室のインク供給源側の面は閉鎖され、圧力室側の面は開口していることが好ましい。空気室の圧力室側の開口している面がインク供給路との連通口となり、ここからインクが進入するが、空気室のインク供給源側の面は閉鎖されて袋小路になっているため空気室のインク供給源側に空気が封じ込められて保持される。空気室への上流からの直接的なインクの進入は遮蔽されるので、空気が保持される部分はインクの流れの少ない部分であり、インクの流れによる空気の流出を抑制することができる。
【００８４】
本実施形態においては、大径部２３は、小径部２４よりもインクタンク５側に位置し、空気室のインクタンク５側の面を閉鎖しているので、より簡単に空気室のインク供給源側の面は閉鎖することができる。また、空気室２１の圧力室側の面には、小径部２４の端部１２４とインク供給チューブ６の内面との間に、インク供給路に連通する連通口１２５が環状に形成されている。
【００８５】
さらに、インクジェット記録装置の使用時の姿勢においてインク供給源側の面は圧力室側の面よりも上方に位置することが好ましい。空気室の上部に保持された空気を移動しにくくすることができ、空気室からの空気の流出を、簡便な構造で抑制することができる。
【００８６】
本実施形態のインクジェット記録装置１では、略水平状態に設置されて使用される。空気保持部材２０Ａにより形成される空気室２１のインク供給源側の面は閉鎖され、圧力室側の面はインク供給路に連通する連通口１２５により開口しているとともに、空気保持部材２０Ａが挿入されている部分の可撓性のインク供給チューブ６をその軸方向がインクジェットヘッド４のインク供給用接続部６０から上方に向かって略鉛直方向になるように設けている。このようにインクジェット記録装置の使用時の姿勢において空気室２１の閉鎖されている側の面が開口している側の面よりも上方に位置するようにするようにしている。
【００８７】
具体的には、実使用状態において、インクタンク５からインクが供給されると、可撓性のインク供給チューブ６の上流からのインクは貫通穴２５を通過し、インク供給用接続部６０のインク供給路５９に進入する。また、空気室２１の下側の連通口１２５からインクが進入するが大径部２３により袋小路になっているため空気室２１の上部に空気２２が封じ込められ、保持される。
【００８８】
また、可撓性のインク供給チューブ６の内周面に当接する大径部２３により、小径部２４の外周面とこの外周面に対向する可撓性のインク供給チューブ６の内周面との空気室２１への上流からの直接的なインクの進入は遮蔽され、インク供給時におけるインクの流れは、貫通穴２５を通過し、上から下へ向く方向である。そのため、空気室２１の空気２２が保持される部分はインクの流れの少ない部分であり、インクの流れによる空気の流出を抑制することができる。
【００８９】
このように初期のインク導入時の動作により、空気室２１の少なくとも一部（上部）に空気２２が封じ込められた状態で、インクタンク５からインクジェットヘッド４の圧力室までのインク供給路にインクが満たされることになる。
【００９０】
実使用状態においては、図４（ｂ）に示すように、ノズルを下側とした場合、空気室２１の所定高さまでインク２６が充填され、その上部には空気２２が閉じ込められている。
【００９１】
空気室２１の流路断面積（可撓性のインク供給チューブの軸方向に直交する断面の断面積）を大きくすることによって、空気室２１の体積を大きくし、内部に保持される空気２２の量を多くすることができる。そのため、圧力変動を緩和する機能を増大させることができる。また、小径部２４の長さＬ２を長くして空気の量を多くすることもできる。空気室２１の体積は、圧力変動を緩和してノズル内のインクメニスカスの位置ずれ（体積変化）を抑えられるように、圧力変動の大きさ等に応じて適宜変更すればよい。
【００９２】
ここで空気保持部材の大きさは、用途や可撓性のインク供給チューブの内径等により適宜に決めれば良い。本実施の形態の一例である空気保持部材２０Ａでは、可撓性のインク供給チューブの内径をＤｍｍとしたとき、例えば、大径部２３は外径ｄ１がＤ＋０．１ｍｍ〜Ｄ＋０．５ｍｍ程度、長さＬ１が１ｍｍ〜３ｍｍ程度、貫通穴２５の径ｄ３がｄ１−１．０ｍｍ〜ｄ１−０．５ｍｍ程度、小径部２４は外径ｄ２がｄ１−２．０ｍｍ〜ｄ１−０．８ｍｍ程度、長さＬ２が２ｍｍ〜２０ｍｍ程度、貫通穴２５の径ｄ３がｄ２−１．０ｍｍ〜ｄ２−０．５ｍｍ程度である。
【００９３】
また、空気保持部材は、大径部からインク供給源側に向けて徐々に縮径するテーパ部を有することが好ましい。空気保持部材を可撓性のインク供給チューブに挿入する際、大径部が可撓性のインク供給チューブの内面に接触して引っ掛かることがなく、円滑に挿入することができる。
【００９４】
本実施形態では、空気保持部材２０Ａは、大径部２３から小径部２４とは反対方向に向けて徐々に縮径するテーパ部２８を有している。
【００９５】
また、可撓性のインク供給チューブは、少なくとも保持された空気に接する部分が空気透過性を有していることが好ましい。空気透過性を有する可撓性のインク供給チューブを透過して空気室に供給される空気により空気が補充されるので、インク２６と空気２２とが接触する気液界面Ｍにおいて、空気２２がインク２６に溶けてしまうことによる空気の減少を抑制できる。
【００９６】
本実施形態では、可撓性のインク供給チューブ６の全体が空気透過性を有している材料で構成され、可撓性のインク供給チューブ６の外側が大気に接している。また、可撓性のインク供給チューブの空気透過性は、１００（ｍｌ／ｍ２・２４ｈ・ａｔｍ）以上１０００（ｍｌ／ｍ２・２４ｈ・ａｔｍ）以下が好ましく、この空気透過性は４０℃の恒温槽内に置かれた可撓性のインク供給チューブにＨｅを流し、Ｈｅ中に透過してくる空気をガスクロマトグラフィーにて酸素と窒素に分離して定量することにより測定する。
【００９７】
可撓性のインク供給チューブ６は、空気透過性や耐インク性、弾性などを考慮して、本実施形態例ではポリエチレン、フッ素樹脂やナイロン等の高分子樹脂材料による単層または多層構造チューブを採用しているが、ゴム材料を用いても良い。
【００９８】
可撓性のインク供給チューブ６の厚さは、空気透過性と弾性、強度を考慮して、概ね０．５ｍｍ〜２ｍｍが好ましい。
【００９９】
可撓性のインク供給チューブ６の好ましい内径は、使用するインクの粘度やインクジェットヘッドの吐出能力等によって多少異なってくるが、可撓性のインク供給チューブ６の内径（直径）としては１〜６ｍｍが好ましい。
【０１００】
また、可撓性のインク供給チューブは、少なくとも保持された空気に接する部分が透明であることが好ましい。空気室に空気が残存しているか否かを検知することができるため、所定量以下である場合は、後述するように空気を補充することでメンテナンスを行うことで確実に空気が残存している状態を維持できる。空気が残存しているか否かを検知するのは、目視による方法でも良いが、たとえば空間の光透過率を測定することで空気が残存しているか否かを検知する空気量検知手段を設けることにより、自動的に検知する構成にしてもよい。もし、所定量以下になっている場合は、空気の補充を行えばよい。あるいは、その旨を作業者に報知するようにしてもよい。
【０１０１】
空気量検知手段は、空気室内の空気量が所定量以下になると出力を行うセンサで、例えば、空気の増減によりインク供給チューブの軸方向に移動するインク液面を検知するための光学式のセンサであり、インクによってセンサのセンサ領域の遮光又は非遮光が切り換えられることで、センサの受光量が変化して、これによりセンサ信号の出力状態を切り換える。すなわち、空気量検知手段は、そのセンサ領域にインクが存在する場合に空気量が所定量以下であることを検知して制御部に対してセンサ信号を出力し、センサ領域にインクが存在しない場合に空気量が所定量以下であることを検知せずに制御部に対してセンサ信号を出力しない。
【０１０２】
本実施形態では、可撓性のインク供給チューブ６の全体が透明性を有している材料で構成されている。なお、透明とは空気とインクが判別できる程度でよく、前述の高分子樹脂材料による単層または多層構造チューブを採用することで達成できる。
【０１０３】
空気保持部材の具体的な構造は上記に限られることはなく、種々に設計することができる。以下、他の各実施形態につき具体的に説明する。
【０１０４】
図５に示す実施形態の空気保持部材２０Ｂでは、空気室２１は、第１の領域と、第１の領域よりもインクジェットヘッド側（圧力室側）に位置し流路断面積が第１の領域よりも小さい第２の領域を有する。
【０１０５】
本実施形態の空気保持部材２０Ｂは、図５に示すように、小径部２４よりも圧力室側に位置し可撓性のインク供給チューブ６の内面に当接する第２の大径部２９を有し、第２の大径部２９は、可撓性のインク供給チューブ６の内面に当接する外周面の一部に可撓性のインク供給チューブ６の軸方向に沿って延びる溝部３０を有し、可撓性のインク供給チューブ６の内面と小径部２４の間に第１の領域が形成され、溝部３０との間に第２の領域が形成されている。流路断面積（可撓性のインク供給チューブの軸方向に直交する断面の断面積）は、第１の領域の方が第２の領域よりも大きい。
【０１０６】
第２の大径部２９の外径ｄ４は、大径部２３の外径ｄ１と略同一に形成されている。
【０１０７】
上記構成より成る空気保持部材２０Ｂを適用したインクジェット記録装置は、この溝部３０の流路抵抗により、可撓性のインク供給チューブの上流から移動してきた溶存ガス濃度の低い新たなインク２６と空気室２１の空気２２との接触が妨げられる。即ち、溝部３０の一端に形成される連通口１２５から空気室２１に進入したインク２６は、入れ替わることなく溶存ガス濃度が飽和した状態で滞留し、このインク２６と空気２２とが接触する気液界面Ｍにおいて、空気２２がインク２６に溶けてしまうことによる空気の減少を抑制できる。
【０１０８】
また、前述のように、可撓性のインク供給チューブ６が膨張した状態で空気保持部材が挿入されるので、大径部２３と当接している近傍の可撓性のインク供給チューブ６が小径部２４に向けて若干傾斜して対向する。このため、大径部２３の外径ｄ１と小径部の外径ｄ２の差が小さすぎる場合や小径部の長さが長い場合、可撓性のインク供給チューブの内周面が小径部ｄ２の外周面に接触してインク２６と空気２２の気液界面Ｍの形成が妨げられることが懸念されるが、本実施形態では、大径部２３に加えて第２の大径部２９により、可撓性のインク供給チューブが支持されるので、より簡単な構成で、このような接触が生じないようにすることができる。
【０１０９】
ここで空気保持部材の大きさは、用途や可撓性のインク供給チューブの内径等により適宜に決めれば良い。空気保持部材２０Ｂでは、可撓性のインク供給チューブの内径をＤｍｍとしたとき、例えば、大径部２３は外径ｄ１がＤ＋０．１ｍｍ〜Ｄ＋０．５ｍｍ程度、長さＬ１が１ｍｍ〜３ｍｍ程度、貫通穴２５の径ｄ３がｄ１−１．０ｍｍ〜ｄ１−０．５ｍｍ程度、小径部２４は外径ｄ２がｄ１−２．０ｍｍ〜ｄ１−０．８ｍｍ程度、長さＬ２が２ｍｍ〜２０ｍｍ程度、貫通穴２５の径ｄ３がｄ２−１．０ｍｍ〜ｄ２−０．５ｍｍ程度、第２の大径部２９は外径ｄ４がＤ＋０．１ｍｍ〜Ｄ＋０．５ｍｍ、長さＬ３が１ｍｍ〜３ｍｍ程度、貫通穴２５の径ｄ３がｄ１−１．０ｍｍ〜ｄ１−０．５ｍｍ程度、溝部３０は幅が０．２ｍｍ〜０．５ｍｍ程度、深さが０．２ｍｍ〜０．５ｍｍ程度である。
【０１１０】
また、図６に示す実施形態の空気保持部材２０Ｃでは、空気室２１は、第１の領域と、第１の領域よりもインクジェットヘッド側（圧力室側）に位置し流路断面積が第１の領域よりも小さい第２の領域を有し、第２の領域が可撓性のインク供給チューブの軸方向の回りに螺旋状に形成されている。
【０１１１】
本実施形態の空気保持部材２０Ｃは、図６に示すように、小径部２４よりも圧力室側に位置し可撓性のインク供給チューブ６の内面に当接する第２の大径部２９を有し、第２の大径部２９には、可撓性のインク供給チューブの軸方向に沿って延びる螺旋状の溝３１が形成されている。
【０１１２】
可撓性のインク供給チューブ６の内面と小径部２４の間に第１の領域が形成され、溝部３１との間に第２の領域が形成されている。流路断面積（可撓性のインク供給チューブの軸方向に直交する断面の断面積）は、第１の領域の方が第２の領域よりも大きい。
【０１１３】
上記構成より成る空気保持部材２０Ｃを適用したインクジェット記録装置は、この螺旋状の溝３１の流路抵抗により、可撓性のインク供給チューブの上流から移動してきた溶存ガス濃度の低い新たなインク２６と空気室２１の空気２２との接触が妨げられる。即ち、螺旋状の溝３１の一端に形成される連通口１２５から空気室２１に進入したインク２６は、入れ替わることなく溶存ガス濃度が飽和した状態で滞留し、このインク２６と空気２２とが接触する気液界面Ｍにおいて、空気２２がインク２６に溶けてしまうことによる空気の減少を抑制できる。
【０１１４】
また、流路を細長くするのと相俟って、簡便な構造で、空気室２１内の空気２２の自由な移動を規制し、空気２２の流出を抑制することができる。流路を細長くすることにより、流路の断面積を小さくできるため空気室２１内に所定の空気体積を保持した上で、空気２２とインク２６が接触する気液界面Ｍにおける接触面積を小さくすることができ、空気２２がインク２６に溶けてしまうことによる空気の減少の速度が遅くなることにより、空気の溶解を簡便な構造で抑制することができる。
【０１１５】
ここで、気液界面Ｍのメニスカス保持力は、インクの表面張力に比例し、その気液界面の径（接触面積に相当）に反比例する。本実施形態では接触面積を小さくすることでメニスカス保持力を高めることができるので、振動や傾斜に対して気液界面が動きにくく、強い構造とすることができる。
【０１１６】
また、本実施形態では、大径部２３に加えて螺旋状の溝３１を区画する隔壁により、可撓性のインク供給チューブが支持されるので、より簡単な構成で、前述した可撓性のインク供給チューブと小径部の接触が生じないようにすることができる。
【０１１７】
ここで空気保持部材の大きさは、用途や可撓性のインク供給チューブの内径等により適宜に決めれば良い。空気保持部材２０Ｃでは、可撓性のインク供給チューブの内径をＤｍｍとしたとき、例えば、大径部２３は外径ｄ１がＤ＋０．１ｍｍ〜Ｄ＋０．５ｍｍ程度、長さＬ１が１ｍｍ〜３ｍｍ程度、貫通穴２５の径ｄ３がｄ１−１．０ｍｍ〜ｄ１−０．５ｍｍ程度、小径部２４は外径ｄ２がｄ１−２．０ｍｍ〜ｄ１−０．８ｍｍ程度、貫通穴２５の径ｄ３がｄ２−１．０ｍｍ〜ｄ２−０．５ｍｍ程度、螺旋状の溝３１は幅Ｌ４が０．３ｍｍ〜１．０ｍｍ程度、ピッチＰが０．５ｍｍ〜２．０ｍｍ程度である。
【０１１８】
また、図７に示す実施形態の空気保持部材２０Ｄでは、空気室２１が、第１の領域と、前記第１の領域よりもインクジェットヘッド側（圧力室側）に位置し流路断面積が小さい第２の領域を有する。
【０１１９】
本実施形態の空気保持部材２０Ｄは、図７に示すように、可撓性のインク供給チューブの内面に当接する大径部２３と小径部２４を有し、小径部２４は可撓性のインク供給チューブの内面に対向する壁面から突出した突出部３３を有し、可撓性のインク供給チューブの内面と前記壁面の間に第１の領域が形成され、突出部３３との間に第２の領域が形成される。流路断面積（可撓性のインク供給チューブの軸方向に直交する断面の断面積）は、第１の領域の方が第２の領域よりも大きい。
【０１２０】
なお、図７の例では、可撓性のインク供給チューブの軸方向に所定間隔離れた２つの突出部３３が設けられ、第１の領域と第２の領域が交互に２組形成されているが、第１の領域と第２の領域は少なくとも１組形成されていればよい。
【０１２１】
上記構成より成る本実施形態のインクジェット記録装置は、この突出部３３による流路抵抗により、可撓性のインク供給チューブの上流から移動してきた溶存ガス濃度の低い新たなインク２６と空気室２１の空気２２との接触が妨げられる。即ち、空気保持部材の一端１２４と可撓性のインク供給チューブの内面により形成される連通口１２５から空気室２１に進入したインク２６は、入れ替わることなく溶存ガス濃度が飽和した状態で滞留し、このインク２６と空気２２とが接触する気液界面Ｍにおいて、空気２２がインク２６に溶けてしまうことによる空気の減少を抑制できる。
【０１２２】
ここで空気保持部材の大きさは、用途や可撓性のインク供給チューブの内径等により適宜に決めれば良い。空気保持部材２０Ｄでは、可撓性のインク供給チューブの内径をＤｍｍとしたとき、例えば、大径部２３は外径ｄ１がＤ＋０．１ｍｍ〜Ｄ＋０．５ｍｍ程度、長さＬ１が１ｍｍ〜３ｍｍ程度、貫通穴２５の径ｄ３がｄ１−１．０ｍｍ〜ｄ１−０．５ｍｍ程度、小径部２４は外径ｄ２がｄ１−２．０ｍｍ〜ｄ１−０．８ｍｍ程度、長さＬ２が２ｍｍ〜２０ｍｍ程度、貫通穴２５の径ｄ３がｄ２−１．０ｍｍ〜ｄ２−０．５ｍｍ程度、突出部３３は外径ｄ５がｄ１−１．０ｍｍ〜ｄ１−０．４ｍｍ程度である。
【０１２３】
次に、インクジェット記録装置１による画像形成時における動作について説明する。
【０１２４】
インクジェット記録装置１の電源がＯＮとなると、インクジェット記録装置１の各部に対して給電が行われる。
【０１２５】
その後、画像記録の開始指示が入力されると、キャリッジ３の往復走査が開始されると共に、制御部は、画像データを基とした制御信号をヘッド駆動基板４６及びその他の駆動部に送信し、画像記録を開始する。搬送手段に搬送される記録媒体Ｐ上には、インクジェットヘッド４からインクが吐出されて画像が形成される。
【０１２６】
そして、インクジェットヘッド４の吐出状態を回復または維持するためのメンテナンスタイミングになると、制御部は、各部を制御してインクジェットヘッド４のメンテナンスを行わせる。詳細に説明すると、制御部は、メンテナンスタイミングに伴って走査用モータを制御し、インクジェットヘッド４と吸引キャップ８とが対峙する位置までキャリッジ３を移動させる。インクジェットヘッド４と吸引キャップ８とが対峙すると、制御部は、昇降用モータを制御して、インクジェットヘッド４の吐出面４１Ｓと吸引キャップ８とが密着するまでメンテナンスユニット７を上昇させる。
【０１２７】
メンテナンスユニット７の上昇完了後、制御部は、所定時間だけ吸引キャップ８内部が吸引されるように吸引ポンプ１１を制御する。
【０１２８】
吸引ポンプ１１の作動により、インクジェットヘッド４内部が負圧になる。インクジェットヘッド４の上流側の可撓性のインク供給チューブ６も負圧になり、可撓性のインク供給チューブ６内のインクは、インクジェットヘッド４に流入し、ノズルから排出されるようになっている。
【０１２９】
次に、空気を補充するためのメンテナンス動作について、空気保持部材２０Ｂを適用したインクジェット記録装置を例に挙げて具体的に説明する。
【０１３０】
図８は本発明の実施形態に係る空気保持部材２０Ｂを適用したインクジェット記録装置の空気室周辺の模式図（断面図）である。
【０１３１】
空気室２１からの空気の流出やインク中への溶解により図８（ａ）に示すように空気室２１に空気がなくなり、インク２６に置換されてしまう。この状態では圧力変動の吸収効果が得られないため、対応するインクジェットヘッド４のノズルの吐出不良が発生してしまう。
【０１３２】
このような状況において、まず、図８（ｂ）に示すように空気室２１の連通口１２５近傍のインク供給路Ｒに空気を充填した状態にする。この動作について図９を用いて説明する。
【０１３３】
図９に示すように、インクタンク５から空気室２１の連通口１２５までのインク供給チューブ６の途中には切替弁１００があり、切替弁１００から大気に連通する大気連通路１０１が設けられている。選択的に切替弁１００を切り換えることにより、インクタンク５からインク供給チューブ６を通りインクジェットヘッド４に至るインクの流れを切替弁１００で遮断し、切替弁１００からインクジェットヘッド４に至るインク供給チューブ６内のインク供給路を大気連通させることが出来る。
【０１３４】
即ち、図１において、インクジェットヘッド４と吸引キャップ８とが対峙する位置までキャリッジを移動させ、吸引キャップ８をインクジェットヘッド４のノズル面４１Ｓに密着させる。切替弁１００を大気連通路１０１側に切り換え、吸引ポンプ１１を所定時間動作させる。
【０１３５】
この時、図９に示すように、大気連通路１０１から導入された空気はインク供給チューブ６内のインク供給路を通り、空気室２１の連通口１２５近傍のインク供給路Ｒに送り込まれ、充填される。大気連通口１０１からインク供給路Ｒまでのインク供給路に空気が充填される空気量を最小として、これ以上の空気量となるようなインクの吸引量で吸引すればよく、例えば、大気連通口１０１からインクジェットヘッド４までのインク供給路に空気が充填されるように吸引しても良い。
【０１３６】
その後、インク供給チューブ６を図８（ｂ）に示す初期位置から押すことにより、図８（ｃ）に示すように内方に変形させ、空気室の体積を縮小させる。これにより、空気室２１内のインク２６が加圧されて、連通口１２５を通じて空気室２１内からインク供給路へ排出される。その後、図８（ｄ）に示すようにインク供給チューブ６の押圧を開放すると、インク供給チューブ６はその復元力により図８（ｄ）の実線で示す初期位置にもどろうとして負圧が発生する。この負圧により連通口１２５近傍のインク供給路Ｒに充填された空気が気泡として空気室に吸い込まれ、空気室２１の少なくとも一部は図５（ｂ）に示すように空気２２で満たされる。
【０１３７】
これにより、空気室２１へ空気が補充される。１回の操作で補充量が十分でない場合には、再びインクチューブ６を押圧、押圧解除して、空気を複数回補充させる。この補充操作は、空気室２１内の空気量が十分になるまで何度でも可能である。
【０１３８】
ここで、連通口１２５近傍のインク供給路Ｒは、空気室２１よりも下方に位置している。こうすると、インク供給チューブ６がその復元力によりもとの形状にもどろうとして負圧が発生したときにインク供給路Ｒ内の空気が上方の空気室に向けて流れやすくなるという効果が得られ、好ましい形態である。
【０１３９】
また、連通口近傍のインク供給路とは、インク供給路に充填された空気を空気補充動作により空気室に送り込める範囲のインク供給路の領域を指し、好ましくは、連通口に隣接したインク供給路の領域である。
【０１４０】
なお、本例の可能性のインク供給チューブ６は、自身の弾性により、変形後に形状が復元する復元力を生じる可撓性部材であるが、例えば、バネを用いて、このインク供給チューブ６を図８（ｂ）や（ｄ）に示す初期位置に向けて付勢して、手動による押圧操作が終了した後、インク供給チューブ６がバネの付勢により初期位置に復帰するようにしてもよい。この構成によれば、自身の弾性により、変形後に形状が復元する復元力を生じない可撓性部材を用いることも可能である。
【０１４１】
空気室への空気補充動作を完了後は、切替弁１００をインクタンク５側に切り換えた後、吸引ポンプ１１を所定時間動作させることにより、インクタンク５からインクジェットヘッド４のノズルまでのインク供給路へインクを充填をして終了する。
【０１４２】
また、前述のようにノズルからインクや異物を吸引するだけの通常のヘッド回復動作によるメンテナンスを行う場合は、切替弁１００をインクタンク５側に切り換えた後、吸引ポンプ１１を所定時間動作させればよい。
【０１４３】
本実施形態では、連通口近傍のインク供給路に空気を充填する動作を、通常のヘッド回復動作用の吸引ポンプ８を利用して行えるので、別途に空気導入用の吸引ポンプ等を設けなくて済むので、インクジェット記録装置の低コスト化に寄与する。また、切替弁１００と大気連通路１０１の代わりに、上流と下流の各インク供給管６を接続するジョイントを設けても良い。各インク供給管６をジョイントにより接続した状態でインクタンク５からのインクが流通可能になり、分離した状態で各インク供給管６からインクが漏れないような構成とし、ヘッド側のインク供給管６を分離させた状態で、インク供給管６の開口部を大気連通させるようにしても良い。
【０１４４】
連通口近傍のインク供給路Ｒに空気を充填する具体的な方法は上記に限られることはなく、種々に設計することができる。以下、他の各実施形態につき具体的に説明する。
【０１４５】
図１０に示す実施形態では、インクタンク５と連通口１２５との間のインク供給路から空気を圧送することにより連通口１２５近傍のインク供給路Ｒに空気を充填する。なお、図１０の符号について、上記実施形態と同一部材については、同一の符号を付し詳細な説明は省略する。
【０１４６】
図１０に示すように、切替弁１００から空気室２１の連通口１２５までのインク供給チューブ６の途中には、インクあるいは空気をインクジェットヘッド４側に圧送する機能する加圧ポンプ１０２が設けられている。
【０１４７】
なお、通常の、画像形成動作時には、加圧ポンプ１０２を停止させており、加圧ポンプ１０２は、ポンプを停止した状態で、インク供給路を連通状態可能なポンプを用いている。
【０１４８】
図１０に示すように、選択的に切替弁１００を切り換えることにより、インクタンク５からインク供給チューブ６を通りインクジェットヘッド４に至るインクの流れを切替弁１００で遮断し、切替弁１００からインクジェットヘッド４に至るインク供給チューブ６内のインク供給路を大気連通させることが出来る。
【０１４９】
即ち、図１において、インクジェットヘッド４と吸引キャップ８とが対峙する位置までキャリッジを移動させ、吸引キャップ８をインクジェットヘッド４のノズル面４１Ｓに密着させる。切替弁１００を大気連通路１０１側に切り換え、加圧ポンプ１０２を所定時間動作させる。この時、図１０に示すように、大気連通路１０１から圧送された空気はインク供給チューブ６内のインク供給路を通り、空気室２１の連通口近傍のインク供給路Ｒに送り込まれ、充填される。
【０１５０】
なお、本実施形態では、インクを吸引する必要がないことから、吸引キャップ８の代わりにインク受器１０をインクジェットヘッド４のノズル面４１Ｓに対向させるようにしても良い。
【０１５１】
空気室への空気補充動作を完了後は、切替弁１００をインクタンク５側に切り換えた後、加圧ポンプ１０２を所定時間動作させることにより、インクタンク５からインクジェットヘッド４のノズルまでのインク供給路へインクを充填をして終了する。
【０１５２】
また、ノズルからインクや異物を排出するだけの通常のヘッド回復動作によるメンテナンスを行う場合は、切替弁１００をインクタンク５側に切り換えた後、加圧ポンプ１０２を所定時間動作させればよい。
【０１５３】
以上のように、本実施形態に示すインクジェット記録装置のメンテナンス方法によれば、連通口近傍のインク供給路に空気を充填する動作を、通常のヘッド回復動作用の加圧ポンプ１０２を利用して行えるので、別途に空気導入用の加圧ポンプ等を設けなくて済むので、インクジェット記録装置の低コスト化に寄与する。また、加圧ポンプ１０２の代わりにシリンジを大気連通路１０１に接続して空気を圧送するようにしてもよい。
【０１５４】
以上の実施の形態は、インクタンク５内のインクを中間タンクを介さずにインクジェットヘッド４に供給するタイプのインクジェット記録装置についての説明であるが、インクタンク５内のインクを中間タンクを介してインクジェットヘッド４に供給するタイプのインクジェット記録装置にも適用可能である。この場合、中間タンクがインク供給源として機能する。
【０１５５】
さらに、図１１に示すように、中間タンク１０４を移動させて該中間タンク１０４内のインク液面をインクジェットヘッド４のノズル面４１Ｓよりも相対的に低い位置に移動させることによって、インクジェットヘッド４に対して水頭による負圧を与えインクジェットヘッド４のノズルから空気を導入することにより連通口１２５近傍のインク供給路Ｒに空気を充填するようにしてもよい。なお、図１１の符号について、上記実施形態と同一部材については、同一の符号を付し詳細な説明は省略する。また、図１１では図示していないが中間タンク１０４とインクタンク５がインク供給チューブ６で接続されていて、インクタンク５から中間タンク１０４にインクが供給される様になっている。
【０１５６】
空気補充動作を行うとき以外は、中間タンク１０４は定常位置にあり、中間タンク１０４内のインク液面がノズル面４１Ｓよりも若干低くなっているため、インク背圧が適度な負圧となっている。これにより、ノズルからインクが滲み出ることを防止できる。
【０１５７】
空気補充動作を行うときは、図１１に示すように、図示しない中間タンクモータを駆動して、中間タンク１０４を定常位置から下方向Ｓに移動させることで、中間タンク１０４内に貯留されているインクの液面の高さを下動させる。このとき、中間タンク１０４内のインク液面の高さをノズル面４１Ｓよりさらに低くすることでインク背圧をノズルから空気が吸い込まれる程度の大きな負圧とする。これにより、インクジェットヘッド４のノズルから空気が導入され、空気室２１の連通口１２５近傍のインク供給路Ｒへと送り込まれ充填される。
【０１５８】
空気室への空気補充動作を完了後は、中間タンクモータを駆動して、中間タンク１０４を上方向に移動させることで、定常位置あるいはそれよりも高い位置に移動させ、中間タンク１０４からインクジェットヘッド４のノズルまでのインク供給路へインクを充填し、後者の場合は中間タンク１０４を下方向に移動させることで、定常位置に戻してから終了する。
【０１５９】
以上のように、本実施形態に示すインクジェット記録装置のメンテナンス方法によれば、連通口１２５近傍のインク供給路に空気を充填する動作を、インクジェットヘッド４のノズル面４１Ｓに対する中間タンク１０４の高さを変更するだけで、中間タンク１０４内のインクとインクジェットヘッド４のノズル面４１Ｓとの水頭差を利用して行うことができ、構造を簡略化できコストを低減できる。また、インクタンク５の配置自由度も向上するようになる。
【０１６０】
また、中間タンクを介さずにインクタンク５内のインクをインクジェットヘッド４に供給し、連通口１２５近傍のインク供給路に空気を充填する動作を、インクジェットヘッド４のノズル面４１Ｓに対するインクタンク５の高さを変更することによって行うようにしてもよい。
【０１６１】
以上の各実施形態に示すインクジェット記録装置のメンテナンス方法によれば、空気室からの空気の流出や溶解が生じることにより空気室の空気量が所定量以下になった場合において、空気室の連通口近傍のインク供給路に空気を充填した後、可撓性インク供給チューブを変形させることにより空気室の体積を縮小させて空気室のインクをインク供給路に排出し、変形を元に戻すことにより充填されている空気を空気室に送り込む一連のメンテナンス動作を手動又は自動により行うことにより、簡便な方法で空気室内へ空気を補充することができ、空気室内に保持された空気によりインクの供給圧力の変動を緩和し、安定したインク吐出が可能となる。また、インク供給チューブの可撓性を利用して簡単に空気の補充を達成することができる。
【０１６２】
自動の場合は、空気の残存量を検知する手段と、可撓性のインク供給チューブ６を押圧して変形させる押圧機構、例えば、可撓性のインク供給チューブ６を押圧する押圧部材とその駆動機構を設け、切替弁として電磁弁のように電気的に開閉可能に構成された弁を用い、前述の制御部の制御下で、その検知動作に連動して空気補充動作を行うようにすればよい。
【０１６３】
以上の実施形態では、インクジェットヘッドに接続される可撓性のインク供給チューブに空気保持部材を挿入して空気室を設置した例を示したが、本発明においては、インクジェットヘッドの圧力室にインク供給源からのインクを供給するインク供給路に連通する連通口を有し、外壁の少なくとも一部が可撓性部材で構成される空気室を設置すればよく、例えば、インクジェットヘッドへのインク供給路を構成する部材に接続させた空気室を別途設けたり、該部材から分岐させた空気室を設けるようにしてもよい。
【０１６４】
可撓性部材の材料には、インクと接触する内面がインクに対する不溶性を備えていること、さらに、インクと外気とが接触しないように気密性が確保されるものが好ましい。具体的には、Ａｌ膜の両面をポリエチレンフィルムで挟んだ多層フィルム、ポリエチレンフィルムにナイロンを被着したフィルム、塩化ビニルと塩化ビニリデンとの共重合体のような高分子フィルムなどが用いられる。
【０１６５】
また、実施形態では１つの可撓性のインク供給チューブ６に１つの空気保持部材が設けられているが、その数は特に問わない。
【０１６６】
また、実施形態ではシリアル方式のインクジェット記録装置に適用したが、ライン方式のインクジェット記録装置にも適用可能である。インクジェットヘッドを静止させた状態で記録するライン方式の場合においても、ポンプやモータ等の外部振動の影響によりインク供給圧力が変動することがあり、本発明のインクジェット記録装置のメンテナンス方法によれば、インクの供給圧力の変動を緩和し、吐出安定性を向上させることができる。
【０１６７】
また、実施形態ではインクジェットヘッドは、ヘッドチップに圧電素子を備える構成とは限らず、例えばヒータを備える構成としてもよい。
【０１６８】
また、空気保持部材の形状や位置関係等も適宜変更して実施可能である。例えば、各実施形態において形成される空気室の環状部分、溝部分、螺旋状部分の各種組み合わせが可能であり、一例として、溝部分と螺旋状部分を併用して第２の領域を設ける構成なども可能である。また、溝部分を複数設けることも好ましい。これにより、空気室の連通口近傍のインク供給路に充填されている空気を効率的に空気室に送り込むことができる。
【符号の説明】
【０１６９】
１  インクジェット記録装置
４  インクジェットヘッド
６  可撓性のインク供給チューブ
２１  空気室
４１  ヘッドチップ（インクジェットヘッドチップ）
４１Ｓ  吐出面
４８ａ、４８ｂ  マニホールド
１２５  連通口
Ｐ  記録媒体
Ｘ  ノズル列方向
【図１】
2011037099.tif 000003
【図２】
2011037099.tif 000004
【図３】
2011037099.tif 000005
【図４】
2011037099.tif 000006
【図５】
2011037099.tif 000007
【図６】
2011037099.tif 000008
【図７】
2011037099.tif 000009
【図８】
2011037099.tif 000010
【図９】
2011037099.tif 000011
【図１０】
2011037099.tif 000012
【図１１】
2011037099.tif 000013